(57)【特許請求の範囲】
【請求項１】
無線通信のための方法であって、
リレーとして機能するユーザ機器（ＵＥ）において、リレーとして機能する１または複数の別のＵＥの信号を、１または複数の特定のサブフレームの間、測定することと、ここで、前記測定することは、交互するサブフレーム・ミュート・パターンにしたがって、前記特定のサブフレームの間、前記信号を測定することを備える、
前記信号の測定値を装置へレポートすることと、を含む方法。
【請求項２】
前記リレーとして機能するＵＥは、前記特定のサブフレームの間、送信しない、請求項１に記載の方法。
【請求項３】
前記リレーとして機能するＵＥによってどのＵＥもサービス提供されていないことを判定することと、
前記判定に基づいて、低電力状態に入ることと、をさらに備える請求項１に記載の方法。
【請求項４】
前記低電力状態にある場合、ブロードキャスト信号間のインタバルを増加させること、をさらに備える請求項３に記載の方法。
【請求項５】
前記リレーとして機能するＵＥが省電力状態に入るようにとの指示、を前記装置から受信することと、
前記受信した指示に基づいて、前記省電力状態に入ることと、をさらに備える請求項１に記載の方法。
【請求項６】
前記指示は、前記レポートされた測定値に基づく、請求項５に記載の方法。
【請求項７】
前記交互するサブフレーム・ミュート・パターンを示すインジケーションを、前記装置から受信すること、をさらに備える請求項１に記載の方法。
【請求項８】
前記装置は、イボルブド・ノードＢ（ｅＮＢ）を備える、請求項１に記載の方法。
【請求項９】
無線通信のためのリレーとして機能するユーザ機器（ＵＥ）であって、
リレーとして機能する１または複数の別のＵＥの信号を、１または複数の特定のサブフレームの間、測定するように構成された少なくとも１つのプロセッサと、ここで、前記測定することは、交互するサブフレーム・ミュート・パターンにしたがって、前記特定のサブフレームの間、前記信号を測定することを含む、
前記信号の測定値を、装置へレポートするように構成された送信機と、を備えるＵＥ。
【請求項１０】
前記ＵＥは、前記特定のサブフレームの間、送信しない、請求項９に記載のＵＥ。
【請求項１１】
前記少なくとも１つのプロセッサは、前記リレーとして機能するＵＥによって、どのＵＥもサービス提供されていないことを判定し、前記判定に基づいて、低電力状態にするように構成された、請求項９に記載のＵＥ。
【請求項１２】
前記少なくとも１つのプロセッサは、前記低電力状態にある場合、ブロードキャスト信号間のインタバルを増加させるように構成された、請求項１１に記載のＵＥ。
【請求項１３】
前記ＵＥが省電力状態に入るようにとの指示を前記装置から受信するように構成された受信機をさらに備え、
前記ＵＥは、前記受信した指示に基づいて前記省電力状態に入る、請求項９に記載のＵＥ。
【請求項１４】
前記指示は、前記レポートされた測定値に基づく、請求項１３に記載のＵＥ。
【請求項１５】
前記サブフレーム・ミュート・パターンを示すインジケーションを前記装置から受信するように構成された受信機、をさらに備える請求項９に記載のＵＥ。
【請求項１６】
前記装置は、イボルブド・ノードＢ（ｅＮＢ）を備える、請求項９に記載のＵＥ。
【請求項１７】
無線通信のためのリレーとして機能するユーザ機器（ＵＥ）であって、
リレーとして機能する１または複数の別のＵＥの信号を、１または複数の特定のサブフレームの間、測定する手段と、ここで、前記測定することは、交互するサブフレーム・ミュート・パターンにしたがって、前記特定のサブフレームの間、前記信号を測定することを含む、
前記信号の測定値を装置へレポートする手段と、を備えるＵＥ。
【請求項１８】
前記ＵＥは、前記特定のサブフレームの間、送信しない、請求項１７に記載のＵＥ。
【請求項１９】
前記リレーとして機能するＵＥによってどのＵＥもサービス提供されていないことを判定する手段と、
前記判定に基づいて、低電力状態に入る手段と、をさらに備える請求項１７に記載のＵＥ。
【請求項２０】
前記低電力状態にある場合、ブロードキャスト信号間のインタバルを増加させる手段、をさらに備える請求項１９に記載のＵＥ。
【請求項２１】
前記ＵＥが省電力状態に入るようにとの指示、を前記装置から受信する手段と、
前記受信した指示に基づいて、前記省電力状態に入る手段と、をさらに備える請求項１７に記載のＵＥ。
【請求項２２】
前記指示は、前記レポートされた測定値に基づく、請求項２１に記載のＵＥ。
【請求項２３】
前記サブフレーム・ミュート・パターンを示すインジケーションを、前記装置から受信する手段、をさらに備える請求項１７に記載のＵＥ。
【請求項２４】
前記装置は、イボルブド・ノードＢ（ｅＮＢ）を備える、請求項１７に記載のＵＥ。
【請求項２５】
無線通信のためのコンピュータ読取可能な記憶媒体であって、
リレーとして機能するユーザ機器（ＵＥ）において、リレーとして機能する１または複数の別のＵＥの信号を、１または複数の特定のサブフレームの間、測定させ、ここで、前記測定することは、交互するサブフレーム・ミュート・パターンにしたがって、前記特定のサブフレームの間、前記信号を測定することを含む、
前記信号の測定値を装置へレポートさせるためのコードを備えるコンピュータ読取可能な記憶媒体。
【請求項２６】
前記リレーとして機能するＵＥは、前記特定のサブフレームの間、送信しない、請求項２５に記載のコンピュータ読取可能な記憶媒体。
【請求項２７】
前記リレーとして機能するＵＥによってどのＵＥもサービス提供されていないことを判定させ、
前記判定に基づいて、低電力状態に入るためのコードをさらに備える請求項２５に記載のコンピュータ読取可能な記憶媒体。
【請求項２８】
前記低電力状態にある場合、ブロードキャスト信号間のインタバルを増加させるためのコードをさらに備える請求項２７に記載のコンピュータ読取可能な記憶媒体。
【請求項２９】
前記リレーとして機能するＵＥが省電力状態に入るようにとの指示、を前記装置から受信させ、
前記受信した指示に基づいて、前記省電力状態に入るためのコードをさらに備える請求項２５に記載のコンピュータ読取可能な記憶媒体。
【請求項３０】
前記指示は、前記レポートされた測定値に基づく、請求項２９に記載のコンピュータ読取可能な記憶媒体。
【請求項３１】
前記サブフレーム・ミュート・パターンを示すインジケーションを、前記装置から受信させるためのコードをさらに備える請求項２５に記載のコンピュータ読取可能な記憶媒体。
【請求項３２】
前記装置は、イボルブド・ノードＢ（ｅＮＢ）を備える、請求項２５に記載のコンピュータ読取可能な記憶媒体。
【請求項３３】
無線通信のための方法であって、
第１の交互するサブフレーム・ミュート・パターンを、リレーとして機能する第１のユーザ機器（ＵＥ）へ送信することと、
リレーとして機能する１または複数の別のＵＥからの信号の測定値を示す第１のインジケーションを、前記第１のＵＥから受信することとを備え、
前記測定は、前記第１の交互するサブフレーム・ミュート・パターンにしたがって、１または複数の特定のサブフレームの間になされる、方法。
【請求項３４】
前記第１のＵＥが省電力状態に入るようにとの指示、を送信すること、をさらに備える請求項３３に記載の方法。
【請求項３５】
前記指示は、前記受信された、前記測定値を示す第１のインジケーションに基づく、請求項３４に記載の方法。
【請求項３６】
第２の交互するサブフレーム・ミュート・パターンを、リレーとして機能する第２のＵＥへ送信することと、
前記少なくとも１つの第１のＵＥからの信号の測定値を示す第２のインジケーションを、前記第２のＵＥから受信することとをさらに備え、
前記測定は、前記第２の交互するサブフレーム・ミュート・パターンにしたがって、１または複数のいくつかのサブフレームの間になされる、請求項３３に記載の方法。
【請求項３７】
前記第１のＵＥが省電力状態に入るようにとの指示、を送信すること、をさらに備える請求項３６に記載の方法。
【請求項３８】
前記指示は、前記受信された、前記測定値を示す第２のインジケーションに基づく、請求項３７に記載の方法。
【請求項３９】
前記第２の交互するサブフレーム・ミュート・パターンは、前記第１の交互するサブフレーム・ミュート・パターンとは異なる、請求項３６に記載の方法。
【請求項４０】
無線通信のための装置であって、
リレーとして機能する第１のユーザ機器（ＵＥ）へ、第１の交互するサブフレーム・ミュート・パターンを送信するように構成された送信機と、
リレーとして機能する１または複数の別のＵＥからの信号の測定値を示す第１のインジケーションを、前記第１のＵＥから受信するように構成された受信機とを備え、
前記測定は、前記第１の交互するサブフレーム・ミュート・パターンにしたがって、１または複数の特定のサブフレームの間になされる、装置。
【請求項４１】
前記送信機は、前記第１のＵＥが省電力状態に入るようにとの指示、を送信するように構成された、請求項４０に記載の装置。
【請求項４２】
前記指示は、前記受信された、前記測定値を示す第１のインジケーションに基づく、請求項４１に記載の装置。
【請求項４３】
前記送信機は、第２の交互するサブフレーム・ミュート・パターンを、リレーとして機能する第２のＵＥへ送信するように構成され、
前記受信機は、少なくとも前記第１のＵＥからの信号の測定値を示す第２のインジケーションを、前記第２のＵＥから受信するように構成され、
前記測定は、前記第２の交互するサブフレーム・ミュート・パターンにしたがって、１または複数のいくつかのサブフレームの間になされる、請求項４０に記載の装置。
【請求項４４】
前記送信機は、前記第１のＵＥが省電力状態に入るようにとの指示、を送信するように構成された、請求項４３に記載の装置。
【請求項４５】
前記指示は、前記受信された、前記測定値を示す第２のインジケーションに基づく、請求項４４に記載の装置。
【請求項４６】
前記第２の交互するサブフレーム・ミュート・パターンは、前記第１の交互するサブフレーム・ミュート・パターンとは異なる、請求項４３に記載の装置。
【請求項４７】
無線通信のための装置であって、
第１の交互するサブフレーム・ミュート・パターンを、リレーとして機能する第１のユーザ機器（ＵＥ）へ送信する手段と、
リレーとして機能する１または複数の別のＵＥからの信号の測定値を示す第１のインジケーションを、前記第１のＵＥから受信する手段とを備え、
前記測定は、前記第１の交互するサブフレーム・ミュート・パターンにしたがって、１または複数の特定のサブフレームの間になされる、装置。
【請求項４８】
前記送信する手段は、前記第１のＵＥが省電力状態に入るようにとの指示、を送信するように構成された、請求項４７に記載の装置。
【請求項４９】
前記指示は、前記受信された、前記測定値を示す第１のインジケーションに基づく、請求項４８に記載の装置。
【請求項５０】
前記送信する手段は、第２の交互するサブフレーム・ミュート・パターンを、リレーとして機能する第２のＵＥへ送信するように構成され、
前記受信する手段は、少なくとも前記第１のＵＥからの信号の測定値を示す第２のインジケーションを、前記第２のＵＥから受信するように構成され、
前記測定は、前記第２の交互するサブフレーム・ミュート・パターンにしたがって、１または複数のいくつかのサブフレームの間になされる、請求項４７に記載の装置。
【請求項５１】
前記送信する手段は、前記第１のＵＥが省電力状態に入るようにとの指示、を送信するように構成された、請求項５０に記載の装置。
【請求項５２】
前記指示は、前記受信された、前記測定値を示す第２のインジケーションに基づく、請求項５１に記載の装置。
【請求項５３】
前記第２の交互するサブフレーム・ミュート・パターンは、前記第１の交互するサブフレーム・ミュート・パターンとは異なる、請求項５０に記載の装置。
【請求項５４】
無線通信のためのコンピュータ読取可能な記憶媒体であって、
第１の交互するサブフレーム・ミュート・パターンを、リレーとして機能する第１のユーザ機器（ＵＥ）へ送信させ、
リレーとして機能する１または複数の別のＵＥからの信号の測定値を示す第１のインジケーションを、前記第１のＵＥから受信させるためのコードを備え、
前記測定は、前記第１の交互するサブフレーム・ミュート・パターンにしたがって、１または複数の特定のサブフレームの間になされる、コンピュータ読取可能な記憶媒体。
【請求項５５】
前記第１のＵＥが省電力状態に入るようにとの指示、を送信させるためのコードをさらに備える請求項５４に記載のコンピュータ読取可能な記憶媒体。
【請求項５６】
前記指示は、前記受信された、前記測定値を示す第１のインジケーションに基づく、請求項５５に記載のコンピュータ読取可能な記憶媒体。
【請求項５７】
第２の交互するサブフレーム・ミュート・パターンを、リレーとして機能する第２のＵＥへ送信させ、
少なくとも前記第１のＵＥからの信号の測定値を示す第２のインジケーションを、前記第２のＵＥから受信させるためのコードをさらに備え、
前記測定は、前記第２の交互するサブフレーム・ミュート・パターンにしたがって、１または複数のいくつかのサブフレームの間になされる、請求項５４に記載のコンピュータ読取可能な記憶媒体。
【請求項５８】
前記第１のＵＥが省電力状態に入るようにとの指示、を送信させるためのコードをさらに備える請求項５７に記載のコンピュータ読取可能な記憶媒体。
【請求項５９】
前記指示は、前記受信された、前記測定値を示す第２のインジケーションに基づく、請求項５８に記載のコンピュータ読取可能な記憶媒体。
【請求項６０】
前記第２の交互するサブフレーム・ミュート・パターンは、前記第１の交互するサブフレーム・ミュート・パターンとは異なる、請求項５７に記載のコンピュータ読取可能な記憶媒体。
【発明の詳細な説明】
【関連出願に対する相互参照】
【０００１】
本願は、本明細書の全体において参照によって明確に組み込まれている２０１１年７月１９日出願の米国仮出願６１／５０９，３５３号に対する優先権を主張する。
【技術分野】
【０００２】
本開示のいくつかの態様は、一般に、無線通信に関し、さらに詳しくは、リレーとして機能するユーザ機器（ＵＥ）デバイスのためのスリープ・モード状態またはその他の省電力状態に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソース（例えば、帯域幅および送信電力）を共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル・キャリアＦＤＭＡ（ＳＣ−ＦＤＭＡ）ネットワーク、第３世代パートナシップ計画（３ＧＰＰ）ロング・ターム・イボリューション（ＬＴＥ）ネットワーク、およびロング・ターム・イボリューション・アドバンスト（ＬＴＥ−Ａ）ネットワークを含む。
【０００４】
無線通信ネットワークは、多くのユーザ機器デバイス（ＵＥ）との通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。基地局は、ダウンリンクでＵＥへデータおよび制御情報を送信し、および／または、アップリンクでＵＥからデータおよび制御情報を受信しうる。この通信リンクは、単一入力単一出力システム、複数入力単一出力システム、あるいは複数入力複数出力（ＭＩＭＯ）システムによって確立されうる。
【０００５】
無線通信システムは、例えばリレー基地局のようなリレー・ノードを介して無線端末と通信するドナー基地局を備えうる。リレー・ノードは、バックホール・リンクを介してドナー基地局と通信し、アクセス・リンクを介して端末と通信しうる。言い換えれば、リレー・ノードは、バックホール・リンクを介してドナー基地局からダウンリンク・メッセージを受信し、これらメッセージを、アクセス・リンクを介して端末へ中継しうる。同様に、リレー・ノードは、アクセス・リンクを介して端末からアップリンク・メッセージを受信し、これらメッセージを、バックホール・リンクを介してドナー基地局へ中継しうる。リレー・ノードは、有効通信範囲エリアを補足し、かつ「有効通信範囲ホール」を埋めることを支援する。
【発明の概要】
【０００６】
本開示のいくつかの態様は、一般に、ＵＥリレーのためのスリープ・モード状態またはその他の省電力状態に関する。
【０００７】
本開示の態様では、無線通信のための方法が提供される。この方法は一般に、１または複数の特定のサブフレームの間、リレーとして機能するユーザ機器（ＵＥ）において、リレーとして機能する１または複数の別のＵＥの信号を測定することと、これら信号の測定値を装置へレポートすることと、を含む。
【０００８】
本開示の態様では、無線通信のためのリレーとして機能するＵＥが提供される。このＵＥは一般に、少なくとも１つのプロセッサと送信機とを含む。少なくとも１つのプロセッサは一般に、１または複数の特定のサブフレームの間、リレーとして機能する１または複数の別のＵＥの信号を測定するように構成される。送信機は一般に、これら信号の測定値を装置へレポートするように構成される。
【０００９】
本開示の態様では、無線通信のためのリレーとして機能するＵＥが提供される。このＵＥは一般に、１または複数の特定のサブフレームの間、リレーとして機能する１または複数の別のＵＥの信号を測定する手段と、これら信号の測定値を装置へレポートする手段と、を含む。
【００１０】
本開示の態様では、無線通信のためのコンピュータ・プログラム製品が提供される。コンピュータ・プログラム製品は一般に、１または複数の特定のサブフレームの間、リレーとして機能するＵＥにおいて、リレーとして機能する１または複数の別のＵＥの信号を測定し、これら信号の測定値を装置へレポートするためのコード、を有するコンピュータ読取可能な媒体を含む。
【００１１】
本開示の態様では、無線通信のための方法が提供される。この方法は一般に、第１のサブフレーム・パターンを、リレーとして機能する第１のユーザ機器（ＵＥ）へ送信することと、リレーとして機能する１または複数の別のＵＥからの信号の測定値を示す第１のインジケーションを、第１のＵＥから受信することとを含み、これら測定は、第１のサブフレーム・パターンにしたがって、１または複数の特定のサブフレームの間になされる。
【００１２】
本開示の態様では、無線通信のための装置が提供される。この装置は一般に、第１のサブフレーム・パターンを、リレーとして機能する第１のＵＥへ送信するように構成された送信機と、リレーとして機能する１または複数の別のＵＥからの信号の測定値を示す第１のインジケーションを、第１のＵＥから受信するように構成された受信機とを含み、これら測定は、第１のサブフレーム・パターンにしたがって、１または複数の特定のサブフレームの間になされる。
【００１３】
本開示の態様では、無線通信のための装置が提供される。この装置は一般に、第１のサブフレーム・パターンを、リレーとして機能する第１のＵＥへ送信する手段と、リレーとして機能する１または複数の別のＵＥからの信号の測定値を示す第１のインジケーションを、第１のＵＥから受信する手段とを含み、これら測定は、第１のサブフレーム・パターンにしたがって、１または複数の特定のサブフレームの間になされる。
【００１４】
本開示の態様では、無線通信のためのコンピュータ・プログラム製品が提供される。コンピュータ・プログラム製品は一般に、第１のサブフレーム・パターンを、リレーとして機能する第１のＵＥへ送信し、リレーとして機能する１または複数の別のＵＥからの信号の測定値を示す第１のインジケーションを、第１のＵＥから受信するためのコード、を有するコンピュータ読取可能な媒体を含む。これら測定は、第１のサブフレーム・パターンにしたがって、１または複数の特定のサブフレームの間になされる。
【００１５】
本開示の態様では、無線通信のための方法が提供される。この方法は一般に、リレーとして機能する第１のＵＥにおいて、何れのＵＥも第１のＵＥによってサービス提供されていないことを判定することと、この判定に基づいて、ブロードキャスト信号間のインタバルを増加させることと、増加されたインタバルにしたがってブロードキャスト信号を送信することと、を含む。
【００１６】
本開示の態様では、無線通信のためのリレーとして機能する第１のＵＥが提供される。この第１のＵＥは一般に、処理システムと送信機とを含む。処理システムは一般に、何れのＵＥも第１のＵＥによってサービス提供されていないことを判定し、この判定に基づいて、ブロードキャスト信号間のインタバルを増加させるように構成される。送信機は一般に、増加されたインタバルにしたがってブロードキャスト信号を送信するように構成される。
【００１７】
本開示の態様では、無線通信のためのリレーとして機能する第１のＵＥが提供される。第１のＵＥは一般に、何れのＵＥも第１のＵＥによってサービス提供されていないことを判定する手段と、この判定に基づいて、ブロードキャスト信号間のインタバルを増加させる手段と、増加されたインタバルにしたがってブロードキャスト信号を送信する手段と、を含む。
【００１８】
本開示の態様では、無線通信のためのコンピュータ・プログラム製品が提供される。コンピュータ・プログラム製品は一般に、リレーとして機能する第１のＵＥにおいて、何れのＵＥも第１のＵＥによってサービス提供されていないことを判定し、この判定に基づいて、ブロードキャスト信号間のインタバルを増加させ、増加されたインタバルにしたがってブロードキャスト信号を送信するためのコード、を有するコンピュータ読取可能な媒体を含む。
【図面の簡単な説明】
【００１９】
本開示の特徴、特性、および利点は、同一の参照符号が全体を通じて同一物に特定している図面とともに考慮された場合、以下に記載する詳細な記述からより明らかになるだろう。
【図１】図１は、本開示の態様にしたがう無線通信システムの例を例示する。
【図２】図２は、本開示の態様にしたがって、無線通信システムにおいて、ユーザ機器デバイス（ＵＥ）と通信しているノードＢの例を概念的に例示するブロック図である。
【図３】図３は、本開示の態様にしたがうリレーＵＥを備えた無線通信システムの例を図示する。
【図４】図４は、本開示の態様にしたがう、例えばＵＥリレーの観点からのサブフレーム・ミュートのための動作の例のフロー図である。
【図４Ａ】図４Ａは、図４に例示された動作を実行することが可能な構成要素の例を例示する。
【図５】図５は、本開示の態様によれば、例えばイボルブド・ノードＢ（ｅＮＢ）の観点からのサブフレーム・ミュートのための動作の例のフロー図である。
【図５Ａ】図５Ａは、図５に例示された動作を実行することが可能な構成要素の例を例示する。
【図６】図６は、本開示の態様にしたがう、例えばＵＥリレーの観点からの不連続受信（ＤＲＸ）モードのための動作の例のフロー図である。
【図６Ａ】図６Ａは、図６に例示された動作を実行することが可能な構成要素の例を例示する。
【発明を実施するための形態】
【００２０】
所与のエリアに、アクティブ化された多くのリレーＵＥが存在する場合、これらリレーＵＥは、「パイロット・ポリューション」シナリオを形成しうる。ここでは、リレーＵＥは、端末ＵＥのためのＳＮＲ（コール品質）を低下させうる。さらに、これは、特に、このエリアのためにより少ない数のリレーＵＥを用いて同様の有効通信範囲が達成されうる場合に、リレーＵＥのバッテリ寿命を浪費しうる。本開示のいくつかの態様は、リレーＵＥのためのスリープ・モードを提供する。これは、リレーＵＥのバッテリ消費量を低減しうるのみならず、リレーＵＥ間の干渉を低減しうる。
【００２１】
本明細書で表されたいくつかの態様は、「バックホール・ホップ」（例えば、ライセンスされたスペクトル）でサービス提供基地局と通信するために使用される周波数帯域外の「アクセス・ホップ」チャネル（例えば、ライセンスされていないホワイト・スペース・スペクトル）で他のＵＥと通信する帯域外遅延を伴って使用されうる一方、これらの態様は、非ＬＴＥバックホール（例えば、有線のバックホールを含む）を用いてＵＥリレーに適用されるのみならず、バックホールとアクセスとの両方のために、ライセンスされたスペクトル（例えば、ＬＴＥスペクトル）を用いて帯域内／帯域外リレーに容易に適用されうる。
【００２２】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された団体からの文書に記載されている。ｃｄｍａ２０００は、「第３世代パートナシップ計画２」（３ＧＰＰ２）と命名された団体からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００２３】
シングル・キャリア周波数分割多元接続（ＳＣ−ＦＤＭＡ）は、シングル・キャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において、特に大きな注目を集めている。これは現在、３ＧＰＰロング・ターム・イボリューション（ＬＴＥ）またはイボルブドＵＴＲＡにおけるアップリンク多元接続スキームのための動作前提である。
【００２４】
（典型的な無線通信システム）  
図１に示すように、１つの実施形態にしたがう多元接続無線通信システムが例示される。アクセス・ポイント１００（ＡＰ）は、複数のアンテナ・グループを含んでおり、１つのグループは、アンテナ１０４およびアンテナ１０６を含み、別のグループは、アンテナ１０８およびアンテナ１１０を含み、さらに別のグループは、アンテナ１１２およびアンテナ１１４を含む。図１では、２本のアンテナだけが各アンテナ・グループのために示されている。しかしながら、２より多い、または、２より少ないアンテナも、おのおののアンテナ・グループのために利用されうる。アクセス端末１１６（ＡＴ）はアンテナ１１２，１１４と通信しており、アンテナ１１２，１１４は、順方向リンク１２０でアクセス端末１１６へ情報を送信し、逆方向リンク１１８でアクセス端末１１６から情報を受信する。アクセス端末１２２は、アンテナ１０６，１０８と通信しており、アンテナ１０６，１０８は、順方向リンク１２６でアクセス端末１２２へ情報を送信し、逆方向リンク１２４でアクセス端末１２２から情報を受信する。ＦＤＤシステムでは、通信リンク１１８，１２０，１２４，１２６は、通信のために異なる周波数を使用しうる。例えば、順方向リンク１２０は、逆方向リンク１１８によって使用されるものとは異なる周波数を使用しうる。
【００２５】
通信するように設計された領域および／またはアンテナのおのおののグループは、しばしば、アクセス・ポイントのセクタと称される。実施形態では、おのおののアンテナ・グループは、アクセス・ポイント１００によってカバーされる領域のセクタ内のアクセス端末と通信するように設計される。
【００２６】
順方向リンク１２０および１２６による通信では、アクセス・ポイント１００の送信アンテナは、別のアクセス端末１１６，１２２のための順方向リンクの信号対雑音比（ＳＮＲ）を改善するためにビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２７】
アクセス・ポイント（ＡＰ）は、端末と通信するために使用された固定局であり、基地局（ＢＳ）、ノードＢ、あるいはその他のいくつかの用語で称されうる。アクセス端末はまた、移動局（ＭＳ）、ユーザ機器（ＵＥ）、無線通信デバイス、端末、ユーザ端末（ＵＴ）、あるいはその他のいくつかの用語で呼ばれる。
【００２８】
図２は、ＭＩＭＯシステム２００における送信機システム２１０（アクセス・ポイントとしても知られている）および受信機システム２５０（アクセス端末としても知られている）の実施形態のブロック図である。送信機システム２１０では、多くのデータ・ストリームのトラフィック・データが、データ・ソース２１２から送信（ＴＸ）データ・プロセッサ２１４に提供される。
【００２９】
態様では、データ・ストリームはおのおのの、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３０】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、またはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３１】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００３２】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３３】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３４】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものに対して相補的である。
【００３５】
プロセッサ２７０は、上述したように、利用可能などの技術を利用するのかを定期的に決定する。さらに、プロセッサ２７０は、行列インデクス部およびランク値部を備えた逆方向リンク・メッセージを規定する。
【００３６】
逆方向リンク・メッセージは、通信リンクおよび／または受信されたデータ・ストリームに関するさまざまなタイプの情報を備えうる。逆方向リンク・メッセージはその後、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３７】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどのプリコーディング行列を使用するかを決定するために、この抽出されたメッセージを処理する。
【００３８】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を備える。ページング制御チャネル（ＰＣＣＨ）は、ページング情報を転送するＤＬチャネルである。マルチキャスト制御チャネル（ＭＣＣＨ）は、１またはいくつかのＭＴＣＨのため、マルチメディア・ブロードキャストおよびマルチキャスト・サービス（ＭＢＭＳ）スケジューリングおよび制御情報を送信するために使用されるポイント・トゥ・マルチポイントＤＬチャネルである。一般に、ＲＲＣ接続を確立した後、このチャネルは、ＭＢＭＳ（注：旧ＭＣＣＨ＋ＭＳＣＨ）を受信するＵＥによってのみ使用される。専用制御チャネル（ＤＣＣＨ）は、ＲＲＣ接続を有するＵＥによって使用される、専用制御情報を送信するポイント・トゥ・ポイント双方向チャネルである。態様では、論理トラフィック・チャネルは、ユーザ情報の転送のために１つのＵＥに専用のポイント・トゥ・ポイント双方向チャネルである専用トラフィック・チャネル（ＤＴＣＨ）を備える。また、マルチキャスト・トラフィック・チャネル（ＭＴＣＨ）は、トラフィック・データを送信するためのポイント・トゥ・マルチポイントＤＬチャネルである。
【００３９】
態様では、伝送チャネルが、ＤＬとＵＬとに分類される。ＤＬ伝送チャネルは、ブロードキャスト・チャネル（ＢＣＨ）、物理ダウンリンク共有チャネル（ＰＤＳＣＨ）、およびページング・チャネル（ＰＣＨ）を備える。ＰＣＨは、セル全体にわたってブロードキャストされ、他の制御／トラフィック・チャネルのために使用されうるＰＨＹリソースへマップされることによって、ＵＥの節電をサポートする（例えば、ＤＲＸサイクルが、ネットワークによってＵＥへ示されうる等）。ＵＬ伝送チャネルは、ランダム・アクセス・チャネル（ＲＡＣＨ）、スケジューリング要求（ＳＲ）、物理アップリンク共有チャネル（ＰＵＳＣＨ）、および複数のＰＨＹチャネルを備える。ＰＨＹチャネルは、ＤＬチャネルとＵＬチャネルとのセットを備える。
【００４０】
態様では、シングル・キャリア波形の低ＰＡＲ（所与の時間において、チャネルは、周波数において隣接しているか、あるいは一定の間隔をもって配置されている）特性を維持するチャネル構造が提供される。
【００４１】
本書の目的のために、以下の略語（さまざまなＤＬ物理チャネルおよびＵＬ物理チャネルのための略語を含む）を適用する。  
１ｘＣＳＦＢ        １ｘＲＴＴへの回路交換フォールバック  
ＡＢＳ              ほとんどブランクなサブフレーム  
ＡＣＫ              アクノレッジメント  
ＡＣＬＲ            隣接チャネル・リーク率  
ＡＭ                アクノレッジ・モード  
ＡＭＢＲ            アグリゲート最大ビット・レート  
ＡＮＲ              自動近隣関係  
ＡＲＱ              自動反復要求  
ＡＲＰ              割当および保持優先度  
ＡＳ                アクセス階層  
ＢＣＣＨ            ブロードキャスト制御チャネル  
ＢＣＨ              ブロードキャスト・チャネル  
ＢＳＲ              バッファ・ステータス・レポー  ト
Ｃ／Ｉ              キャリア対干渉電力比  
ＣＡＺＡＣ          一定振幅ゼロ自動相関  
ＣＡ                キャリア・アグリゲーション  
ＣＢＣ              セル・ブロードキャスト・センタ  
ＣＣ                成分キャリア  
ＣＩＦ              キャリア・インジケータ・フィールド  
ＣＭＡＳ            コマーシャル・モバイル・アラート・サービス  
ＣＭＣ              接続移動制御  
ＣＰ                サイクリック・プレフィクス  
Ｃ−ｐｌａｎｅ      制御プレーン  
Ｃ−ＲＮＴＩ        セルＲＮＴＩ  
ＣＱＩ              チャネル品質インジケータ  
ＣＲＣ              巡回冗長検査  
ＣＳＡ              共通サブフレーム割当  
ＣＳＧ              クローズド加入者グループ  
ＤＣＣＨ            専用制御チャネル  
ＤｅＮＢ            ドナーｅＮＢ  
ＤＦＴＳ            ＤＦＴ拡散ＯＦＤＭ  
ＤＬ                ダウンリンク  
ＤＲＢ              データ・ラジオ・ベアラ  
ＤＲＸ              不連続受信  
ＤＴＣＨ            専用トラフィック・チャネル  
ＤＴＸ              不連続送信  
ＤｗＰＴＳ          ダウンリンク・パイロット時間スロット  
ＥＣＧＩ            Ｅ−ＵＴＲＡＮセル・グローバル識別子  
ＥＣＭ              ＥＰＳ接続管理  
ＥＭＭ              ＥＰＳ移動管理  
Ｅ−ＣＩＤ          エンハンスト・セルＩＤ（位置決め方法）  
ｅＮＢ              Ｅ−ＵＴＲＡＮノードＢ  
ＥＰＣ              イボルブド・パケット・コア  
ＥＰＳ              イボルブド・パケット・システム  
Ｅ−ＲＡＢ          Ｅ−ＵＴＲＡＮラジオ・アクセス・ベアラ  
ＥＴＷＳ            地震および津波警告システム  
Ｅ−ＵＴＲＡ        イボルブドＵＴＲＡ  
Ｅ−ＵＴＲＡＮ      イボルブドＵＴＲＡＮ  
ＦＤＤ              周波数分割デュプレクス  
ＦＤＭ              周波数分割多重  
ＧＥＲＡＮ          ＧＳＭエッジ・ラジオ・アクセス・ネットワーク  
ＧＮＳＳ            グローバル・ナビゲーション衛星システム  
ＧＳＭ（登録商標）  グローバル移動体通信システム  
ＧＢＲ              保証ビット・レート  
ＧＰ                ガード期間  
ＨＡＲＱ            ハイブリッドＡＲＱ  
ＨＯ                ハンドオーバ  
ＨＲＰＤ            高レート・パケット・データ  
ＨＳＤＰＡ          高速ダウンリンク・パケット・アクセス  
ＩＣＩＣ            セル間干渉調整  
ＩＰ                インターネット・プロトコル  
ＬＢ                負荷平準化  
ＬＣＧ              論理チャネル・グループ  
ＬＣＲ              低チップ・レート  
ＬＣＳ              位置決めサービス  
ＬＩＰＡ            ローカルＩＰアクセス  
ＬＰＰａ            ＬＴＥ位置決めプロトコル・アネックス  
Ｌ−ＧＷ            ローカル・ゲートウェイ  
ＬＴＥ              ロング・ターム・イボリューション  
ＭＡＣ              媒体アクセス制御  
ＭＢＭＳ            マルチメディア・ブロードキャスト・マルチキャスト・サービス  
ＭＢＲ              最大ビット・レート  
ＭＢＳＦＮ          マルチメディア・ブロードキャスト・マルチキャスト・サービス単一周波数ネットワーク  
ＭＣＣＨ            マルチキャスト制御チャネル  
ＭＣＥ              マルチキャスト・セル／マルチキャスト調整エンティティ  
ＭＣＨ              マルチキャスト・チャネル  
ＭＣＳ              変調および符号化スキーム  
ＭＤＴ              ドライブ・テストの最小化  
ＭＩＢ              マスタ情報ブロック  
ＭＩＭＯ            複数入力複数出力  
ＭＭＥ              モビリティ管理エンティティ  
ＭＳＡ              ＭＣＨサブフレーム割当  
ＭＳＩ              ＭＣＨスケジューリング情報  
ＭＳＰ              ＭＣＨスケジューリング期間  
ＭＴＣＨ            マルチキャスト・トラフィック・チャネル  
ＮＡＣＫ            否定的アクノレッジメント  
ＮＡＳ              非アクセス階層  
ＮＣＣ              次のホップ・チェーン・カウンタ  
ＮＨ                次のホップ・キー  
ＮＮＳＦ            ＮＡＳノード選択機能  
ＮＲ                近隣セル関係  
ＮＲＴ              近隣関係テーブル  
ＯＦＤＭ            直交周波数分割多重  
ＯＦＤＭＡ          直交周波数分割多元接続  
ＯＴＤＯＡ          観察到着時間差（位置決め方法）  
Ｐ−ＧＷ            ＰＤＮゲートウェイ  
Ｐ−ＲＮＴＩ        ページングＲＮＴＩ  
ＰＡ                電力増幅器  
ＰＡＰＲ            ピーク対平均電力比  
ＰＢＣＨ            物理ブロードキャスト・チャネル  
ＰＢＲ              優先ビット・レート  
ＰＣＣ              一次成分キャリア  
ＰＣＣＨ            ページング制御チャネル  
ＰＣｅｌｌ          一次セル  
ＰＣＦＩＣＨ        物理制御フォーマット・インジケータ・チャネル  
ＰＣＨ              ページング・チャネル  
ＰＣＩ              物理セル識別子  
ＰＤＣＣＨ          物理ダウンリンク制御チャネル  
ＰＤＳＣＨ          物理ダウンリンク共有チャネル  
ＰＤＣＰ            パケット・データ収束プロトコル  
ＰＤＮ              パケット・データ・ネットワーク  
ＰＤＵ              プロトコル・データ・ユニット  
ＰＨＩＣＨ          物理ハイブリッドＡＲＱインジケータ・チャネル  
ＰＨＹ              物理レイヤ  
ＰＬＭＮ            パブリック・ランド・モバイル・ネットワーク  
ＰＭＣＨ            物理マルチキャスト・チャネル  
ＰＲＡＣＨ          物理ランダム・アクセス・チャネル  
ＰＲＢ              物理リソース・ブロック  
ＰＳＣ              パケット・スケジューリング  
ＰＵＣＣＨ          物理アップリンク制御チャネル  
ＰＵＳＣＨ          物理アップリンク共有チャネル  
ＰＷＳ              公衆警報システム  
ＱＡＭ              直交振幅変調  
ＱＣＩ              ＱｏＳクラス識別子  
ＱｏＳ              サービス品質  
ＲＡ−ＲＮＴＩ      ランダム・アクセスＲＮＴＩ  
ＲＡＣ              ラジオ許可制御  
ＲＡＣＨ            ランダム・アクセス・チャネル  
ＲＡＴ              ラジオ・アクセス技術  
ＲＢ                ラジオ・ベアラ  
ＲＢＣ              ラジオ・ベアラ制御  
ＲＦ                ラジオ周波数  
ＲＩＭ              ＲＡＮ情報管理  
ＲＬＣ              ラジオ・リンク制御  
ＲＮ                中継ノード  
ＲＮＣ              ラジオ・ネットワーク・コントローラ  
ＲＮＬ              ラジオ・ネットワーク・レイヤ  
ＲＮＴＩ            ラジオ・ネットワーク・テンポラリ識別子  
ＲＯＨＣ            ロバスト・ヘッダ圧縮  
ＲＲＣ              ラジオ・リソース制御  
ＲＲＭ              ラジオ・リソース管理  
ＲＵ                リソース・ユニット  
Ｓ−ＧＷ            サービス提供ゲートウェイ  
Ｓ１−ＭＭＥ        制御プレーンのためのＳ１  
ＳＣＣ              二次成分キャリア  
ＳＣｅｌｌ          二次セル  
ＳＩ                システム情報  
ＳＩＢ              システム情報ブロック  
ＳＩ−ＲＮＴＩ      システム情報ＲＮＴＩ  
Ｓ１−Ｕ            ユーザ・プレーンのためのＳ１  
ＳＡＥ              システム・アーキテクチャ・イボリューション  
ＳＡＰ              サービス・アクセス・ポイント  
ＳＣ−ＦＤＭＡ      シングル・キャリア−周波数分割多元接続  
ＳＣＨ              同期チャネル  
ＳＤＦ              サービス・データ・フロー  
ＳＤＭＡ            空間分割多元接続  
ＳＤＵ              サービス・データ・ユニット  
ＳｅＧＷ            セキュリティ・ゲートウェイ  
ＳＦＮ              システム・フレーム数  
ＳＰＩＤ            ＲＡＴ／周波数優先度のための加入者プロファイルＩＤ  
ＳＲ                スケジューリング要求  
ＳＲＢ              シグナリング・ラジオ・ベアラ  
ＳＵ                スケジューリング・ユニット  
ＴＡ                トラッキング・エリア  
ＴＢ                伝送ブロック  
ＴＣＰ              送信制御プロトコル  
ＴＤＤ              時分割デュプレクス  
ＴＥＩＤ            トンネル・エンドポイント識別子  
ＴＦＴ              トラフィック・フロー・テンプレート  
ＴＭ                透過モード  
ＴＮＬ              伝送ネットワーク・レイヤ  
ＴＴＩ              送信時間インタバル  
ＵＥ                ユーザ機器  
ＵＬ                アップリンク  
ＵＭ                非アクノレッジ・モード  
ＵＭＴＳ            ユニバーサル・モバイル・テレコミュニケーション・システム  
Ｕ−ｐｌａｎｅ      ユーザ・プレーン  
ＵＴＲＡ            ユニバーサル地上ラジオ・アクセス  
ＵＴＲＡＮ          ユニバーサル地上ラジオ・アクセス・ネットワーク  
ＵｐＰＴＳ          アップリンク・パイロット時間スロット  
ＶＲＢ              仮想リソース・ブロック  
Ｘ２−Ｃ            Ｘ２制御プレーン  
Ｘ２−Ｕ            Ｘ２−ユーザ・プレーン
（典型的なリレー・システム）  
図３は、本開示のいくつかの態様が実現されうる無線システム３００の例を示す。例示されるように、システム３００は、（リレー局またはリレーとしても知られている）リレー・ノード３０６を介してユーザ機器（ＵＥ）３０４と通信する、（ドナー・セル、ドナー・アクセス・ポイント（ＡＰ）またはドナー・イボルブド・ノードＢ（ＤｅＮＢ）としても知られている）ドナー基地局（ＢＳ）３０２を含む。図３に示されるように、リレー・ノード３０６が、（リレーｅＮＢとしても知られている）リレー基地局を備えうる一方、ＵＥ（例えば、セル電話）は、他のＵＥのための送信を中継するためのリレーとしても機能しうる。このようなリレーは、リレーＵＥ、ＵＥリレー、またはリレーとして機能するＵＥとして知られうる。
【００４２】
リレー・ノード３０６は、バックホール・リンク３０８を介してドナーＢＳ３０２と通信し、アクセス・リンク３１０を介してＵＥ３０４と通信しうる。言い換えれば、リレー・ノード３０６は、バックホール・リンク３０８を介してドナーＢＳ３０２からダウンリンク・メッセージを受信し、これらメッセージを、アクセス・リンク３１０を介してＵＥ３０４へ中継しうる。同様に、リレー基地局３０６は、アクセス・リンク３１０を介してＵＥ３０４からアップリンク・メッセージを受信し、これらメッセージを、バックホール・リンク３０８を介してドナーＢＳ３０２へ中継しうる。このように、リレー・ノード３０６は、有効通信範囲エリアを補足し、かつ「有効通信範囲ホール」を埋めることを支援する。
【００４３】
（ＵＥリレーのための電力／複雑さ低減技術の例）  
イントロダクション：ＵＥリレーのタイプおよびモード
前述したように、本開示の態様は、ライセンスされたスペクトルにおいてバックホール・ホップを、ライセンスされていないスペクトル（例えば、テレビジョン・ホワイト・スペースまたはＴＶＷＳスペクトル）においてアクセス・ホップを用いる帯域外リレーを用いた特定の利点のために利用されうる一方、本明細書で表される技術は、（有線バックホールを含む）非ＬＴＥバックホールを用いるＵＥリレーに対してのみならず、バックホール・ホップとアクセス・ホップとの両方のために、ラインセンスされたＬＴＥスペクトルを用いる帯域内／帯域外リレーに対しても容易に拡張されうる。
【００４４】
一般に、ＵＥリレーは、定義された２つのクラス、すなわち、（１）電力を制限された（例えば、バッテリ駆動する）ＵＥリレーと、（２）電力が制限されていない（例えば、コンセントに接続された）ＵＥリレーとに分類されるとみなされうる。おのおのによって利用される技術は、電力を節約するための異なる必要性に基づいて異なりうる。
【００４５】
例えば、電力が制限されていないＵＥリレーは、アクセス・ホップで、何れかの端末ＵＥに現在サービス提供しているか否かに関わらず、アクセス・ホップで「常時オン」方式で動作しうる。しかしながら、これらのＵＥリレーは、バックホール・ホップで、不連続受信モード（ＤＲＸ）または他の省電力モードになりうる。基本的に、電力が制限されていないＵＥリレーは、アクセス・ホップ・スペクトルで動作するためのＲＦサポートを有するレガシーＵＥ（例えば、規格のより新たなバージョンで動作することができる「非レガシー」ＵＥとは対照的に、規格の以前のバージョンにしたがって動作するＵＥ）にサービス提供できることが意図されている。
【００４６】
一方、電力が制限されているＵＥリレーは、アクセス・ホップにおいてアイドルである場合、新たに定義された省電力モードで動作しうる一方、これらのＵＥは、アクセス・ホップにおいてアクティブである場合、通常のｅＮＢのように振る舞う。電力が制限されているＵＥリレーは、もはやどの端末ＵＥにもサービス提供していない場合、アクティブ・モードからアイドル・モード（スタンバイ・モード）に切り換わり、ＵＥリレーが、端末ＵＥによるアクセス試行を検出した場合、アイドル・モードからアクティブ・モードに切り換わりうる。もちろん、これら２つのモードのうちの何れかで動作するために、ネットワークまたはドナーｅＮＢ（ＤｅＮＢ）は一般に、ＵＥリレーが他の端末ＵＥにサービス提供することを許可しなければならず、ＵＥリレーは一般に、バックホールに適切な容量を有していなければならない。
【００４７】
本開示のいくつかの態様は、電力が制限されているＵＥリレーがアクセス・ホップにおいてアイドルであろうとアクティブであろうと、これらＵＥリレーを用いた特別な利点のために使用されうる。電力が制限されていないＵＥリレーは、アクセス・ホップにおいて常にアクティブ・モードである、電力が制限されているＵＥリレーのように振る舞いうることが理解されるべきである。前述したように、電力が制限されていないＵＥリレーの利点は、（ＲＦの観点から）アクセス・ホップ・スペクトルで動作することが可能ないわゆるレガシーＬＴＥ  ＵＥにサービス提供できることである。
【００４８】
（帯域外ビーコン）  
各タイプ（電力が制限されているか否か、アクセス・ホップにおいてアクティブであるかアイドルであるか）のＵＥリレーは、オペレータ（単数または複数）によって指定され、端末ＵＥに良く知られているゼロまたはそれより多くの「ランデブー」チャネルで、帯域外ビーコンを送信しうる。これらランデブー・チャネルのうちの１つは、ＵＥリレーのバックホール・ホップのために使用されているライセンスされたチャネルと一致しうる。
【００４９】
アクセス・ホップにおいてアイドルであるＵＥリレーは、帯域外ビーコンに加えて、これらアクセス・ホップ・スペクトルにおいて帯域内ビーコンを送信しうる一方、アクセス・ホップにおいてアクティブであるＵＥリレーは、これらの通常のブロードキャスト信号（例えば、一次同期信号（ＰＳＳ）、二次同期信号（ＳＳＳ）、物理ブロードキャスト・チャネル（ＰＢＣＨ）、システム情報ブロック（ＳＩＢ）等）を送信しうる。
【００５０】
帯域外ビーコンの目的は、ＵＥリレーを探索する端末ＵＥの探索複雑さを低減することでありうる。これらのビーコンは、（アクセス・ホップ・チャネル−選択目的のため、他のＵＥによるのみならず）アクセスＵＥによるＵＥリレーの発見および（相対的に）粗いタイミング／周波数獲得のために使用されうる。したがって、帯域外ビーコンは、接近検出信号（ＰＤＳ）のような設計に基づきうる（リソース・ブロック（ＲＢ）のちょうど半分を用いるＰＵＳＣＨのような波形でさえもありうる）。本明細書で使用されるように、用語ＰＤＳは一般に、送信機によって比較的希にしか送信されない、受信機において知られている特別なシグニチャ・シーケンスを称する。
【００５１】
帯域外ビーコンの送信電力は、恐らくは、ランデブー周波数とアクセス・ホップ周波数との間での予期される経路喪失差分のためのベスト・エフォート補償を提供するために、アクセス・ホップにおけるビーコンの送信電力とは異なりうる。
【００５２】
ＵＥ基準信号（ＲＳ）に加えて、帯域外ビーコンは、以下の情報、すなわち、（１）アクセス・ホップのために使用される周波数へのポインタ、（２）オプションとして、アクセス・ホップのためにＵＥリレーによって選択された物理セル識別子（ＰＣＩ）、および（３）帯域内ビーコン送信と、ランデブー・チャネルにおける帯域外ビーコン送信との間の時間オフセット、のうちの１または複数を備えるペイロードを伝送するために使用されるＰＵＳＣＨのような送信を含みうる。これらのパラメータは、例えば、アクセス・ホップ周波数へのポインタのために約１６ビット、および／または、ＵＥリレーＰＣＩのために１０ビットのような任意の適切なサイズおよびフォーマットでありうる。いくつかのケースでは、帯域外ビーコンは、アクセス・ホップにおいてアイドルであるＵＥリレーのケースでは周期を、または、その他の態様の場合、（約１６ビットでありうる）アクセス・ホップにおいてアクティブであるＵＥリレーのケースでは、アクセス・ホップ周波数におけるスーパ・フレーム境界とランデブー・チャネルにおける帯域外ビーコンとの間の時間オフセットを示しうる。３つのパラメータについて、１６ビットまたはそれ未満を仮定することは、ペイロード全体で４８ビット未満を意味する。これは、ＲＢの半分に適合しうる。
【００５３】
各ＤｅＮＢは、帯域外ビーコンのために、あるサブフレームを指定しうる。例えば、ＤｅＮＢは、Ｎ個のサブフレーム毎に１を指定しうる。ここで、Ｎは、帯域外ビーコンについて、比較的大きな数（例えば、１０００のオーダ）である。異なるランデブー・チャネルは、（例えば、ＵＥは、リレーを検出するために、より多くのサブフレームをスキャンする必要があるであろうから、恐らくはバッテリ寿命を犠牲にしても、ＵＥリレーにおけるＲＦ要件を緩和するために、）帯域外ビーコン送信のために異なるサブフレームを使用しうる。
【００５４】
各ＵＥは、これらのいわゆる「ビーコン・サブフレーム」のうち、選択されたビーコン・サブフレーム中、ＵＥリレーの帯域外ビーコンを送信するためにＰＤＳリソース（例えば、１ＲＢまたは半ＲＢ）を選ぶのみならず、Ｍ個のビーコン・サブフレームのうちの１つを選びうる。所与のＵＥリレーによるＰＤＳリソースとビーコン・サブフレームの選択は、ランダムであるか、または、リスン・アンド・ピック・スキームに基づきうる。同期ＬＴＥネットワークでは、隣接するＤｅＮＢは、端末ＵＥにおける探索パフォーマンスを高めるために、所与のランデブー・チャネルにおけるビーコン外送信のために、同じサブフレームのサブセットを指定しうる。
【００５５】
（帯域内ビーコン）  
いくつかの態様によれば、アクセス・ホップにおいてアイドルであるＵＥリレーは、ＵＥリレーがアクセス・ホップのために選択した周波数で、帯域内ビーコンを送信しうる。帯域内ビーコンの目的は、ＵＥリレー動作を管理するシステム・パラメータのみならず、端末ＵＥによる精細な時間および周波数獲得を可能にするためでありうる。別のＵＥリレーはまた、例えば、アクセス・ホップ・チャネル選択および干渉調整の目的のために、これらビーコンを使用しうる。
【００５６】
いくつかの態様によれば、帯域内ビーコンは、（帯域外ビーコン・ペイロードによって示されるような）低デューティ・サイクルで送信されるＬＴＥブロードキャスト・チャネル（例えば、ＰＳＳ、ＳＳＳ、ＰＢＣＨ、および／またはＳＩＢ）から構成されうる。実際、ＬＴＥブロードキャスト・チャネルは、現在のＬＴＥ仕様によって決定されているデューティ・サイクルで送信される帯域外ビーコン・ペイロードの特別なケースして（大部分）考えられうる。
【００５７】
帯域内ビーコンに含まれるＳＩＢは、（例えば、クローズド加入者グループ（ＣＳＧ）において）干渉管理および移動の目的のためにＵＥリレーをユニークに識別するために使用されうるＵＥリレーのセル・グローバル識別情報（ＣＧＩ）を含みうる。
【００５８】
さらに、ＵＥがアクセス・ホップにおいて実際にアイドルである場合、ＵＥリレーは、低デューティ・サイクル・ランダム・アクセス・チャネル（ＲＡＣＨ）構成（恐らく、規格において、最新のものよりも低いデューティ・サイクル）を指定しうる。これは、ＵＥリレーにアクセスするため、さらには、ＵＥリレーの送信をアクセス・ホップにおいてアイドル・モードからアクティブ・モードにトリガするために端末ＵＥによって使用されうる。
【００５９】
（２つのビーコン・タイプのための波形選択）  
前述したように、ＰＤＳのような解決策は、帯域外ビーコンのために選択されうるが、帯域内ビーコンのためには、レガシー・ブロードキャスト・チャネルが選択されうる。このＰＤＳベースの解決策は、信号リソースのごく一部を用いて、多数のノードによって、小さなペイロードを伝送するために良く適しうる。これは、共通のランデブー・チャネルでその存在を通知するために、恐らくは多くの異なるアクセス周波数／帯域で動作するＵＥリレーをサポートしうる帯域外ビーコンのために重要でありうる。一方、ＰＤＳベースの波形は、ＵＥリレー発見のために十分である可能性の高い粗いタイミング／周波数基準を受信機に提供する。
【００６０】
対照的に、ＰＳＳ−／ＳＳＳ−／ＰＢＣＨ−ベースの解決策は、レガシー互換方式で大量のペイロード（複数のＳＩＢ）を伝送するための能力のみならず、より精細なタイミング／周波数基準を提供しうる。これらは両方とも、通常のブロードキャスト・チャネルのためのみならず、これら帯域内ビーコンのためにも望ましい機能である。
【００６１】
（ＵＥリレーのためのスリープ・モードの例）  
所与のエリアにおいて、アクティベートされた多数のリレーＵＥが存在する場合、いくつかの問題が発生しうる。例えば、多数のリレーＵＥは、「パイロット・ポリューション」問題を生成しうる。ここでは、多数のリレーＵＥが、端末ＵＥのためのＳＮＲ（コール品質）を低下させうる。さらに、特に、このエリアのために、より少ない数のリレーＵＥを用いて同様の有効通信範囲が達成される場合、これは、リレーＵＥのバッテリ寿命を浪費しうる。さらに、リレーＵＥ間の高い干渉が、よい低いスループット（すなわち、より低いデータ・レート）をもたらしうる。
【００６２】
したがって、必要なものは、リレーＵＥ間の干渉を低減すること、および／または、リレーＵＥのバッテリ消費を低減すること、のための技術および装置である。本開示のいくつかの態様は、リレーＵＥのためにスリープ・モードを提供する。これは、リレーＵＥのバッテリ消費を低減するのみならず、リレーＵＥ間の干渉をも低減しうる。
【００６３】
いくつかの態様の場合、リレーＵＥ間の干渉低減は、サブフレーム・ミュートを含みうる。ここでは、リレーＵＥは、特定のサブフレームでは、どの信号も送信しない。サブフレーム・ミュートは、例えば、スリープ・モードまたは不連続受信（ＤＲＸ）モードのように、リレーＵＥが省電力状態に入る前に生じうる。サブフレーム・ミュートを達成するために、例えば基地局３０２のようなｅＮＢは、交互するミュート・パターンを用いて１または複数のリレーＵＥを構成しうる。リレーＵＥの構成は、ｅＮＢによって送信されるブロードキャスト・メッセージ、または、専用ＲＲＣ（または高次レイヤ・シグナリング）を用いて達成されうる。各パターンは一般に、特定のリレーＵＥがどの信号も送信しないサブフレームを含むので、このリレーＵＥは、自身の送信をミュートし、別のリレーＵＥからの信号を測定できるようになる。結果として、測定するリレーＵＥは、別のＵＥの送信の測定値を、ｅＮＢへレポートしうる。その後、ｅＮＢは、どのリレーＵＥをオフするのかを決定しうる。
【００６４】
いくつかの態様の場合、どのリレーＵＥをオフするのかを判定する際に、追加情報が、ｅＮＢに役に立ちうる。この情報は、ＲＲＭ測定値のレポート、および／または、ラジオ・ベアラ設定を通じて利用可能でありうる。このような追加情報は、サービス提供されているＵＥによるリレーＵＥのＲＲＭ測定値、リレーＵＥによってサービス提供されているＵＥのラジオ・ベアラの設定、および／または、リレーＵＥにおいてバッファされているデータのキュー・サイズを含みうる。キュー・サイズは、リレーＵＥによってサービス提供されているＵＥについて、ラジオ・ベアラ毎に分類されうる。
【００６５】
いくつかの態様について、リレーＵＥ間の干渉低減は、不連続受信（ＤＲＸ）モード手順を含みうる。例えば、延長された期間、どのＵＥにもサービス提供しないリレーＵＥは、一次同期信号（ＰＳＳ）送信、二次同期信号（ＳＳＳ）送信、または物理ブロードキャスト・チャネル（ＰＢＣＨ）送信の間の期間を増加させ始めうる。さらに、チャネル状態情報（ＣＳＩ）フィードバックまたはラジオ・リソース管理（ＲＲＭ）測定のために共通基準信号（ＣＲＳ）またはその他の信号を送信するためのサブフレームが調節されうる。
【００６６】
前述したように、２つのクラスのＵＥリレー、すなわち、電力が制限されたＵＥリレーと、電力が制限されていないＵＥリレーとが存在する。ＤＲＸ手順（スリープ・モード）は一般に、電力が制限されたＵＥリレーに適合する。しかしながら、ＤＲＸ手順は、干渉を低減させるので、システム利点を有する（すなわち、どのＵＥにもサービス提供しないリレーＵＥは、オーバヘッド・チャネルの周期を低減する）。
【００６７】
いくつかの態様の場合、ｅＮＢは、リレーＵＥ  ＤＲＸモード手順を制御しうる。この制御は、ラジオ・リソース制御（ＲＲＣ）または媒体アクセス制御（ＭＡＣ）シグナリングによって達成されうる。リレーＵＥは、どの端末ＵＥにもサービス提供していない場合、獲得信号および／またはその他の基準信号（ＲＳ）（例えば、ＣＲＳ  ＲＳ、ＣＳＩ  ＲＳ等）を、低減された（最小の）周期で送信しうる。しかしながら、ＵＥリレー・デバイスが、少なくとも１つのＵＥにサービス提供するように構成されているのであれば、これら信号間のインタバルは、ノミナル値（例えば、デフォルト・インタバル値）に低減されうる。
【００６８】
図４は、本開示のある態様にしたがうサブフレーム・ミュートのための動作４００の例のフロー図である。動作４００は、リレーとして機能するＵＥ（すなわち、ＵＥリレー）の観点から実行されうる。４０２では、ＵＥが、１または複数の特定のサブフレームの間、リレーとして機能する１または複数の別のＵＥの信号を測定しうる。ＵＥは一般に、特定のサブフレームの間、送信せず、これによって、ＵＥは、別のＵＥからの信号を効果的にリスンできるようになりうる。４０４では、ＵＥが、例えばｅＮＢのような装置に、信号の測定値をレポートしうる。
【００６９】
いくつかの態様の場合、リレーとして機能するＵＥは、例えば、前述したように交互するミュート・パターンのようなサブフレーム・パターンにしたがって、特定のサブフレームの間、信号を測定しうる。例えば、このサブフレーム・パターンを示すインジケーションは、装置から受信されうる。
【００７０】
いくつかの態様の場合、リレーとして機能するＵＥは、４０６において、例えばスリープ・モードまたはＤＲＸモードのような省電力状態にＵＥが入るようにとの指示、を装置から受信しうる。４０８では、ＵＥは、この受信された指示に基づいて、省電力状態に入りうる。いくつかの態様の場合、この指示は、レポートされた測定値に基づきうる。
【００７１】
いくつかの態様の場合、リレーとして機能するＵＥは、このＵＥによってどのＵＥもサービス提供されていないことを判定しうる。そして、リレーとして機能するＵＥは、低電力状態に入りうる。例として、リレーとして機能するＵＥは、低電力状態にある場合、ブロードキャスト信号間のインタバルを増加させうる。
【００７２】
図５は、本開示のある実施形態にしたがう、サブフレーム・ミュートのための動作５００の例のフロー図である。例えば、動作５００は、ｅＮＢの観点から実行されうる。５０２では、ｅＮＢは、リレーとして機能する第１のＵＥ（すなわち、第１のＵＥリレー）に第１のサブフレーム・パターンを送信しうる。５０４では、ｅＮＢは、リレーとして機能する１または複数の別のＵＥからの信号の測定値を示す第１のインジケーションを、第１のＵＥから受信しうる。これら測定値は、第１のサブフレーム・パターンにしたがって、１または複数の特定のサブフレームの間になされうる。第１のＵＥは一般に、特定のサブフレームの間、送信しない。これによって、第１のＵＥは、別のＵＥからの信号を効果的にリスンできるようになる。
【００７３】
いくつかの態様の場合、ｅＮＢは、５０６において、リレーとして機能する第２のＵＥ（すなわち、第２のＵＥリレー）に第２のサブフレーム・パターンを送信しうる。５０８では、ｅＮＢは、（少なくとも第１のＵＥを含みうる）別のＵＥの少なくとも一部からの信号の測定値を示す第２のインジケーションを、第２のＵＥから受信しうる。これら測定値は、一般には第１のサブフレーム・パターンとは異なる第２のサブフレーム・パターンにしたがって、１または複数のいくつかのサブフレームの間になされうる。第２のＵＥは一般に、いくつかのサブフレームの間、送信しない。これによって、第２のＵＥは、別のＵＥからの信号を効果的にリスンできるようになりうる。
【００７４】
いくつかの態様の場合、ｅＮＢは、５１０で、例えばスリープ・モードまたはＤＲＸモードのような省電力状態に第１のＵＥが入るようにとの指示を送信しうる。この指示は、受信された、測定値を示す第２の（または第１の）インジケーションに基づきうる。
【００７５】
図６は、本開示のいくつかの態様にしたがう、不連続受信（ＤＲＸ）モードのための動作６００の例のフロー図である。この動作６００は、リレー（すなわち、ＵＥリレー）として機能する第１のＵＥの観点から実行されうる。６０２では、第１のＵＥは、第１のＵＥによってどのＵＥもサービス提供されていないと判定しうる。この判定は、特定の時間長さ（例えば、しきい持続時間）についてなされうる。６０４では、第１のＵＥは、６０２における判定に基づいて、ブロードキャスト信号間のインタバルを増加させうる。いくつかの態様の場合、ブロードキャスト信号は、ＰＳＳ、ＳＳＳ、またはＰＢＣＨのうちの少なくとも１つを備えうる。その他の態様の場合、ブロードキャスト信号は、共通基準信号（ＣＲＳ）、または、ＣＳＩ測定値またはＲＲＭ測定値のうちの少なくとも１つのための信号を備えうる。６０６では、第１のＵＥが、増加したインタバルにしたがって、ブロードキャスト信号を送信しうる。
【００７６】
いくつかの態様の場合、第１のＵＥは、その後、６０８において、少なくとも１つのＵＥが、第１のＵＥによってサービス提供されていることを判定しうる。６１０では、第１のＵＥは、ブロードキャスト信号間のインタバルを、恐らくは、デフォルト・レベルまたはノミナル・レベルへ減少させうる。６１２では、第１のＵＥは、減少したインタバルにしたがってブロードキャスト信号を送信しうる。
【００７７】
前述した動作４００は、任意の適切な構成要素、または、図４における対応する機能を実行することが可能なその他の手段によって実行されうる。例えば、図４に例示される動作４００は、図４Ａに例示される手段４００Ａに対応する。図４Ａでは、ＵＥリレー３０６１のプロセッサ４１０Ａに位置する測定ユニット４０２Ａが、１または複数の特定のサブフレームの間、少なくとも別のＵＥリレー３０６２の信号を（４０１Ａにおいて）測定しうる。ＵＥリレー３０６１の送信機４０４Ａは、信号の測定値４０３Ａを装置４０５Ａ（例えば、ｅＮＢ）へレポートしうる。ＵＥリレー３０６１の受信機４０６Ａは、省電力状態にＵＥリレー３０６１が入るようにとの指示４０７Ａを装置４０５Ａから受信しうる。ＵＥリレー３０６１のプロセッサ４１０Ａに位置する省電力状態エンタ・ユニット４０８Ａは、受信した指示４０７Ａに基づいて、省電力状態にしうる。
【００７８】
前述された動作５００は、任意の適切な構成要素、または、図５における対応する機能を実行することが可能なその他の手段によって実行されうる。例えば、図５に例示される動作５００は、図５Ａに例示される手段５００Ａに対応する。図５Ａでは、装置（例えばｅＮＢ）の送信機５０２Ａは、第１のＵＥリレー３０６１へ第１のサブフレーム・パターン５０１Ａを送信しうる。装置の受信機５０４Ａは、１または複数の別のＵＥリレーからの信号の測定値５０３Ａを示す第１のインジケーションを、第１のＵＥリレー３０６１から受信しうる。この測定は、第１のサブフレーム・パターン５０１Ａにしたがって、１または複数の特定のサブフレームの間になされる。装置の送信機５０２Ａは、第２のサブフレーム・パターン５０５Ａを、第２のＵＥリレー３０６２に送信しうる。装置の受信機５０４Ａは、少なくとも第１のＵＥリレー３０６１からの信号の測定値５０７Ａを示す第２のインジケーションを、第２のＵＥリレー３０６２から受信しうる。この測定は、第２のサブフレーム・パターン５０５Ａにしたがって、１または複数のいくつかのサブフレームの間になされる。装置の送信機５０２Ａは、省電力状態に第１のＵＥリレー３０６１が入るようにとの指示５０９Ａを送信しうる。
【００７９】
前述された動作６００は、任意の適切な構成要素、または、図６における対応する機能を実行することが可能なその他の手段によって実行されうる。例えば、図６に例示される動作６００は、図６Ａに例示される手段６００Ａに対応する。図６Ａでは、ＵＥリレー３０６のプロセッサ６０１Ａに配置されたＵＥサービス判定ユニット６０２Ａが、ＵＥリレー３０６によってどのＵＥもサービス提供されていないことを判定しうる。この判定に基づいて、ＵＥリレー３０６のプロセッサ６０１Ａに配置されたブロードキャスト内部調節ユニット６０４Ａは、ブロードキャスト信号間のインタバルを増加させうる。ＵＥリレー３０６の送信機６０６Ａは、増加されたインタバルにしたがって、（６０７Ａにおいて、）ブロードキャスト信号を送信しうる。ＵＥサービス判定ユニット６０２Ａは、少なくとも１つのＵＥが、ＵＥリレー３０６によってサービス提供されていることを判定しうる。ブロードキャスト内部調節ユニット６０４Ａは、ブロードキャスト信号間のインタバルを減少させうる。ＵＥリレー３０６の送信機６０６Ａは、減少されたインタバルにしたがって（６０７Ａにおいて）ブロードキャスト信号を送信しうる。
【００８０】
前述した方法のさまざまな動作は、対応する機能を実行することが可能な任意の適切な手段によって実行されうる。これら手段は、限定される訳ではないが、回路、特定用途向け集積回路（ＡＳＩＣ）、またはプロセッサを含むさまざまなハードウェア構成要素および／またはソフトウェア構成要素および／またはモジュールを含みうる。一般に、図面に例示された動作が存在する場合、これら動作は、同じ符番を付された対応するミーンズ・プラス・ファンクション構成要素を有しうる。
【００８１】
例えば、送信する手段またはレポートする手段は、図２に例示されるような送信機システム２１０の送信機（例えば、送信機２２２）および／またはアンテナ２２４、または、受信機システム２５０の送信機（例えば、送信機２５４）および／またはアンテナ２５２を備えうる。受信する手段は、図２に例示されるような受信機システム２５０の受信機（例えば、受信機２５４）および／またはアンテナ２５２、または、送信機システム２１０の受信機（例えば、受信機２２２）および／またはアンテナ２２４を備えうる。処理する手段、判定する手段、測定する手段、（省電力状態へ）入れる手段、増加させる手段、または、減少させる手段は、例えば、図２に例示されるような受信機システム２５０のＲＸデータ・プロセッサ２６０、プロセッサ２７０、および／または、ＴＸデータ・プロセッサ２３８、または、送信機システム２１０のＲＸデータ・プロセッサ２４２、プロセッサ２３０、および／または、ＴＸデータ・プロセッサ２１４のような少なくとも１つのプロセッサを含みうる。
【００８２】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００８３】
当業者であれば、情報および信号は、さまざまな異なる技術および技法のうちの何れかを用いて表されうることを理解するであろう。例えば、前述した記載を通じて参照されたデータ、命令群、指示、情報、信号、ビット、シンボル、およびチップは、電圧、電流、電磁波、磁場または磁気粒子、光場または光粒子、またはこれらの任意の組み合わせによって表されうる。
【００８４】
当業者であればさらに、本明細書で開示された実施形態に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００８５】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００８６】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００８７】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
なお、以下に、出願当初の特許請求の範囲に記載された発明を付記する。
［発明１］
無線通信のための方法であって、
リレーとして機能するユーザ機器（ＵＥ）において、リレーとして機能する１または複数の別のＵＥの信号を、１または複数の特定のサブフレームの間、測定することと、
前記信号の測定値を装置へレポートすることと、を含む方法。
［発明２］
前記リレーとして機能するＵＥは、前記特定のサブフレームの間、送信しない、発明１に記載の方法。
［発明３］
前記リレーとして機能するＵＥによってどのＵＥもサービス提供されていないことを判定することと、
前記判定に基づいて、低電力状態に入ることと、をさらに備える発明１に記載の方法。
［発明４］
前記低電力状態にある場合、ブロードキャスト信号間のインタバルを増加させること、をさらに備える発明３に記載の方法。
［発明５］
前記リレーとして機能するＵＥが省電力状態に入るようにとの指示、を前記装置から受信することと、
前記受信した指示に基づいて、前記省電力状態に入ることと、をさらに備える発明１に記載の方法。
［発明６］
前記指示は、前記レポートされた測定値に基づく、発明５に記載の方法。
［発明７］
前記測定することは、サブフレーム・パターンにしたがって、前記特定のサブフレームの間、前記信号を測定することを備える、発明１に記載の方法。
［発明８］
前記サブフレーム・パターンを示すインジケーションを、前記装置から受信すること、をさらに備える発明７に記載の方法。
［発明９］
前記装置は、イボルブド・ノードＢ（ｅＮＢ）を備える、発明１に記載の方法。
［発明１０］
無線通信のためのリレーとして機能するユーザ機器（ＵＥ）であって、
リレーとして機能する１または複数の別のＵＥの信号を、１または複数の特定のサブフレームの間、測定するように構成された少なくとも１つのプロセッサと、
前記信号の測定値を、装置へレポートするように構成された送信機と、を備えるＵＥ。
［発明１１］
前記ＵＥは、前記特定のサブフレームの間、送信しない、発明１０に記載のＵＥ。
［発明１２］
前記少なくとも１つのプロセッサは、前記リレーとして機能するＵＥによって、どのＵＥもサービス提供されていないことを判定し、前記判定に基づいて、低電力状態にするように構成された、発明１０に記載のＵＥ。
［発明１３］
前記少なくとも１つのプロセッサは、前記低電力状態にある場合、ブロードキャスト信号間のインタバルを増加させるように構成された、発明１２に記載のＵＥ。
［発明１４］
前記ＵＥが省電力状態に入るようにとの指示を前記装置から受信するように構成された受信機をさらに備え、
前記ＵＥは、前記受信した指示に基づいて前記省電力状態に入る、発明１０に記載のＵＥ。
［発明１５］
前記指示は、前記レポートされた測定値に基づく、発明１４に記載のＵＥ。
［発明１６］
少なくとも１つのプロセッサは、サブフレーム・パターンにしたがって、前記特定のサブフレームの間、前記信号を測定するように構成された、発明１０に記載のＵＥ。
［発明１７］
前記サブフレーム・パターンを示すインジケーションを前記装置から受信するように構成された受信機、をさらに備える発明１６に記載のＵＥ。
［発明１８］
前記装置は、イボルブド・ノードＢ（ｅＮＢ）を備える、発明１０に記載のＵＥ。
［発明１９］
無線通信のためのリレーとして機能するユーザ機器（ＵＥ）であって、
リレーとして機能する１または複数の別のＵＥの信号を、１または複数の特定のサブフレームの間、測定する手段と、
前記信号の測定値を装置へレポートする手段と、を備えるＵＥ。
［発明２０］
前記ＵＥは、前記特定のサブフレームの間、送信しない、発明１９に記載のＵＥ。
［発明２１］
前記リレーとして機能するＵＥによってどのＵＥもサービス提供されていないことを判定する手段と、
前記判定に基づいて、低電力状態に入る手段と、をさらに備える発明１９に記載のＵＥ。
［発明２２］
前記低電力状態にある場合、ブロードキャスト信号間のインタバルを増加させる手段、をさらに備える発明２１に記載の方法。
［発明２３］
前記ＵＥが省電力状態に入るようにとの指示、を前記装置から受信する手段と、
前記受信した指示に基づいて、前記省電力状態に入る手段と、をさらに備える発明１９に記載のＵＥ。
［発明２４］
前記指示は、前記レポートされた測定値に基づく、発明２３に記載のＵＥ。
［発明２５］
前記測定する手段は、サブフレーム・パターンにしたがって、前記特定のサブフレームの間、前記信号を測定するように構成された、発明１９に記載のＵＥ。
［発明２６］
前記サブフレーム・パターンを示すインジケーションを、前記装置から受信する手段、をさらに備える発明２５に記載のＵＥ。
［発明２７］
前記装置は、イボルブド・ノードＢ（ｅＮＢ）を備える、発明１９に記載のＵＥ。
［発明２８］
無線通信のためのコンピュータ・プログラム製品であって、
リレーとして機能するユーザ機器（ＵＥ）において、リレーとして機能する１または複数の別のＵＥの信号を、１または複数の特定のサブフレームの間、測定し、
前記信号の測定値を装置へレポートするのためのコード、を備えるコンピュータ読取可能な媒体を備えるコンピュータ・プログラム製品。
［発明２９］
前記リレーとして機能するＵＥは、前記特定のサブフレームの間、送信しない、発明２８に記載のコンピュータ・プログラム製品。
［発明３０］
前記リレーとして機能するＵＥによってどのＵＥもサービス提供されていないことを判定し、
前記判定に基づいて、低電力状態に入るためのコード、をさらに備える発明２８に記載のコンピュータ・プログラム製品。
［発明３１］
前記低電力状態にある場合、ブロードキャスト信号間のインタバルを増加させるためのコード、をさらに備える発明３０に記載のコンピュータ・プログラム製品。
［発明３２］
前記リレーとして機能するＵＥが省電力状態に入るようにとの指示、を前記装置から受信し、
前記受信した指示に基づいて、前記省電力状態に入るためのコード、をさらに備える発明２８に記載のコンピュータ・プログラム製品。
［発明３３］
前記指示は、前記レポートされた測定値に基づく、発明３２に記載のコンピュータ・プログラム製品。
［発明３４］
前記測定することは、サブフレーム・パターンにしたがって、前記特定のサブフレームの間、前記信号を測定することを備える、発明２８に記載のコンピュータ・プログラム製品。
［発明３５］
前記サブフレーム・パターンを示すインジケーションを、前記装置から受信するためのコード、をさらに備える発明３４に記載のコンピュータ・プログラム製品。
［発明３６］
前記装置は、イボルブド・ノードＢ（ｅＮＢ）を備える、発明２８に記載のコンピュータ・プログラム製品。
［発明３７］
無線通信のための方法であって、
第１のサブフレーム・パターンを、リレーとして機能する第１のユーザ機器（ＵＥ）へ送信することと、
リレーとして機能する１または複数の別のＵＥからの信号の測定値を示す第１のインジケーションを、前記第１のＵＥから受信することとを備え、
前記測定は、前記第１のサブフレーム・パターンにしたがって、１または複数の特定のサブフレームの間になされる、方法。
［発明３８］
前記第１のＵＥが省電力状態に入るようにとの指示、を送信すること、をさらに備える発明３７に記載の方法。
［発明３９］
前記指示は、前記受信された、前記測定値を示す第１のインジケーションに基づく、発明３８に記載の方法。
［発明４０］
第２のサブフレーム・パターンを、リレーとして機能する第２のＵＥへ送信することと、
前記少なくとも１つの第１のＵＥからの信号の測定値を示す第２のインジケーションを、前記第２のＵＥから受信することとをさらに備え、
前記測定は、前記第２のサブフレーム・パターンにしたがって、１または複数のいくつかのサブフレームの間になされる、発明３７に記載の方法。
［発明４１］
前記第１のＵＥが省電力状態に入るようにとの指示、を送信すること、をさらに備える発明４０に記載の方法。
［発明４２］
前記指示は、前記受信された、前記測定値を示す第２のインジケーションに基づく、発明４１に記載の方法。
［発明４３］
前記第２のサブフレーム・パターンは、前記第１のサブフレーム・パターンとは異なる、発明４０に記載の方法。
［発明４４］
無線通信のための装置であって、
リレーとして機能する第１のユーザ機器（ＵＥ）へ、第１のサブフレーム・パターンを送信するように構成された送信機と、
リレーとして機能する１または複数の別のＵＥからの信号の測定値を示す第１のインジケーションを、前記第１のＵＥから受信するように構成された受信機とを備え、
前記測定は、前記第１のサブフレーム・パターンにしたがって、１または複数の特定のサブフレームの間になされる、装置。
［発明４５］
前記送信機は、前記第１のＵＥが省電力状態に入るようにとの指示、を送信するように構成された、発明４４に記載の装置。
［発明４６］
前記指示は、前記受信された、前記測定値を示す第１のインジケーションに基づく、発明４５に記載の装置。
［発明４７］
前記送信機は、第２のサブフレーム・パターンを、リレーとして機能する第２のＵＥへ送信するように構成され、
前記受信機は、少なくとも前記第１のＵＥからの信号の測定値を示す第２のインジケーションを、前記第２のＵＥから受信するように構成され、
前記測定は、前記第２のサブフレーム・パターンにしたがって、１または複数のいくつかのサブフレームの間になされる、発明４４に記載の装置。
［発明４８］
前記送信機は、前記第１のＵＥが省電力状態に入るようにとの指示、を送信するように構成された、発明４７に記載の装置。
［発明４９］
前記指示は、前記受信された、前記測定値を示す第２のインジケーションに基づく、発明４８に記載の装置。
［発明５０］
前記第２のサブフレーム・パターンは、前記第１のサブフレーム・パターンとは異なる、発明４７に記載の装置。
［発明５１］
無線通信のための装置であって、
第１のサブフレーム・パターンを、リレーとして機能する第１のユーザ機器（ＵＥ）へ送信する手段と、
リレーとして機能する１または複数の別のＵＥからの信号の測定値を示す第１のインジケーションを、前記第１のＵＥから受信する手段とを備え、
前記測定は、前記第１のサブフレーム・パターンにしたがって、１または複数の特定のサブフレームの間になされる、装置。
［発明５２］
前記送信する手段は、前記第１のＵＥが省電力状態に入るようにとの指示、を送信するように構成された、発明５１に記載の装置。
［発明５３］
前記指示は、前記受信された、前記測定値を示す第１のインジケーションに基づく、発明５２に記載の装置。
［発明５４］
前記送信する手段は、第２のサブフレーム・パターンを、リレーとして機能する第２のＵＥへ送信するように構成され、
前記受信する手段は、少なくとも前記第１のＵＥからの信号の測定値を示す第２のインジケーションを、前記第２のＵＥから受信するように構成され、
前記測定は、前記第２のサブフレーム・パターンにしたがって、１または複数のいくつかのサブフレームの間になされる、発明５１に記載の装置。
［発明５５］
前記送信する手段は、前記第１のＵＥが省電力状態に入るようにとの指示、を送信するように構成された、発明５４に記載の装置。
［発明５６］
前記指示は、前記受信された、前記測定値を示す第２のインジケーションに基づく、発明５５に記載の装置。
［発明５７］
前記第２のサブフレーム・パターンは、前記第１のサブフレーム・パターンとは異なる、発明５４に記載の装置。
［発明５８］
無線通信のためのコンピュータ・プログラム製品であって、
第１のサブフレーム・パターンを、リレーとして機能する第１のユーザ機器（ＵＥ）へ送信し、
リレーとして機能する１または複数の別のＵＥからの信号の測定値を示す第１のインジケーションを、前記第１のＵＥから受信するためのコード、を備えるコンピュータ読取可能な媒体を備え、
前記測定は、前記第１のサブフレーム・パターンにしたがって、１または複数の特定のサブフレームの間になされる、コンピュータ・プログラム製品。
［発明５９］
前記第１のＵＥが省電力状態に入るようにとの指示、を送信するためのコード、をさらに備える発明５８に記載のコンピュータ・プログラム製品。
［発明６０］
前記指示は、前記受信された、前記測定値を示す第１のインジケーションに基づく、発明５９に記載のコンピュータ・プログラム製品。
［発明６１］
第２のサブフレーム・パターンを、リレーとして機能する第２のＵＥへ送信し、
少なくとも前記第１のＵＥからの信号の測定値を示す第２のインジケーションを、前記第２のＵＥから受信するためのコードをさらに備え、
前記測定は、前記第２のサブフレーム・パターンにしたがって、１または複数のいくつかのサブフレームの間になされる、発明５８に記載のコンピュータ・プログラム製品。
［発明６２］
前記第１のＵＥが省電力状態に入るようにとの指示、を送信するためのコード、をさらに備える発明６１に記載のコンピュータ・プログラム製品。
［発明６３］
前記指示は、前記受信された、前記測定値を示す第２のインジケーションに基づく、発明６２に記載のコンピュータ・プログラム製品。
［発明６４］
前記第２のサブフレーム・パターンは、前記第１のサブフレーム・パターンとは異なる、発明６１に記載のコンピュータ・プログラム製品。
［発明６５］
無線通信のための方法であって、
リレーとして機能する第１のユーザ機器（ＵＥ）において、前記第１のＵＥによってどのＵＥもサービス提供されていないことを判定することと、
前記判定に基づいて、ブロードキャスト信号間のインタバルを増加させることと、
前記増加されたインタバルにしたがって前記ブロードキャスト信号を送信することと、を備える方法。
［発明６６］
前記判定することは、前記第１のＵＥによって、特定の期間、どのＵＥもサービス提供されていないことを判定することを備える、発明６５に記載の方法。
［発明６７］
前記ブロードキャスト信号は、一次同期信号（ＰＳＳ）、二次同期信号（ＳＳＳ）、または物理ブロードキャスト・チャネル（ＰＢＣＨ）のうちの少なくとも１つを備える、発明６５に記載の方法。
［発明６８］
前記ブロードキャスト信号は、チャネル状態情報（ＣＳＩ）測定値またはラジオ・リソース管理（ＲＲＭ）測定値のうちの少なくとも１つの信号を備える、発明６５に記載の方法。
［発明６９］
前記ブロードキャスト信号は、共通基準信号（ＣＲＳ）を備える、発明６８に記載の方法。
［発明７０］
前記少なくとも１つのＵＥが前記第１のＵＥによってサービス提供されていることを判定することと、
前記ブロードキャスト信号間のインタバルを減少させることと、
前記減少されたインタバルにしたがって、前記ブロードキャスト信号を送信することと、をさらに備える発明６５に記載の方法。
［発明７１］
前記減少されたインタバルは、デフォルト・インタバルを備える、発明７０に記載の方法。
［発明７２］
前記判定することは、イボルブド・ノードＢ（ｅＮＢ）から指示を受信することを備える、発明６５に記載の方法。
［発明７３］
前記指示は、媒体アクセス制御（ＭＡＣ）信号またはラジオ・リソース制御（ＲＲＣ）信号を備える、発明７２に記載の方法。
［発明７４］
無線通信のためのリレーとして機能する第１のユーザ機器（ＵＥ）であって、
前記第１のＵＥによってどのＵＥもサービス提供されていないことを判定し、前記判定に基づいて、ブロードキャスト信号間のインタバルを増加させるように構成された処理システムと、
前記増加されたインタバルにしたがって前記ブロードキャスト信号を送信するように構成された送信機と、を備える第１のＵＥ。
［発明７５］
前記処理システムは、前記第１のＵＥによって、特定の期間、どのＵＥもサービス提供されていないことを判定するように構成された、発明７４に記載の第１のＵＥ。
［発明７６］
前記ブロードキャスト信号は、一次同期信号（ＰＳＳ）、二次同期信号（ＳＳＳ）、または物理ブロードキャスト・チャネル（ＰＢＣＨ）のうちの少なくとも１つを備える、発明７４に記載の第１のＵＥ。
［発明７７］
前記ブロードキャスト信号は、チャネル状態情報（ＣＳＩ）測定値またはラジオ・リソース管理（ＲＲＭ）測定値のうちの少なくとも１つの信号を備える、発明７４に記載の第１のＵＥ。
［発明７８］
前記ブロードキャスト信号は、共通基準信号（ＣＲＳ）を備える、発明７７に記載の第１のＵＥ。
［発明７９］
前記処理システムは、前記第１のＵＥによって、少なくとも１つのＵＥがサービス提供されていることを判定し、前記ブロードキャスト信号間のインタバルを減少させるように構成され、
前記送信機は、前記減少されたインタバルにしたがって、前記ブロードキャスト信号を送信するように構成された、発明７４に記載の第１のＵＥ。
［発明８０］
前記減少されたインタバルは、デフォルト・インタバルを備える、発明７９に記載の第１のＵＥ。
［発明８１］
イボルブド・ノードＢ（ｅＮＢ）から指示を受信するように構成された受信機をさらに備え、
前記処理システムは、前記受信された指示に基づいて、前記第１のＵＥによってどのＵＥもサービス提供されていないことを判定するように構成された、発明７４に記載の第１のＵＥ。
［発明８２］
前記指示は、媒体アクセス制御（ＭＡＣ）信号またはラジオ・リソース管理（ＲＲＣ）信号を備える、発明８１に記載の第１のＵＥ。
［発明８３］
無線通信のためのリレーとして機能する第１のユーザ機器（ＵＥ）であって、
前記第１のＵＥによってどのＵＥもサービス提供されていないことを判定する手段と、
前記判定に基づいて、ブロードキャスト信号間のインタバルを増加させる手段と、
前記増加されたインタバルにしたがって前記ブロードキャスト信号を送信する手段と、を備える第１のＵＥ。
［発明８４］
前記判定する手段は、前記第１のＵＥによって、特定の期間、どのＵＥもサービス提供されていないことを判定するように構成された、発明８３に記載の第１のＵＥ。
［発明８５］
前記ブロードキャスト信号は、一次同期信号（ＰＳＳ）、二次同期信号（ＳＳＳ）、または物理ブロードキャスト・チャネル（ＰＢＣＨ）のうちの少なくとも１つを備える、発明８３に記載の第１のＵＥ。
［発明８６］
前記ブロードキャスト信号は、チャネル状態情報（ＣＳＩ）測定値またはラジオ・リソース管理（ＲＲＭ）測定値のうちの少なくとも１つの信号を備える、発明８３に記載の第１のＵＥ。
［発明８７］
前記ブロードキャスト信号は、共通基準信号（ＣＲＳ）を備える、発明８６に記載の第１のＵＥ。
［発明８８］
少なくとも１つのＵＥが、前記第１のＵＥによってサービス提供されていることを判定する手段と、
前記ブロードキャスト信号間のインタバルを減少させる手段と、
前記減少されたインタバルにしたがって、前記ブロードキャスト信号を送信する手段と、をさらに備える発明８３に記載の第１のＵＥ。
［発明８９］
前記減少されたインタバルは、デフォルト・インタバルを備える、発明８８に記載の第１のＵＥ。
［発明９０］
イボルブド・ノードＢ（ｅＮＢ）から指示を受信する手段をさらに備え、
前記判定する手段は、前記指示に基づいて、どのＵＥも前記第１のＵＥによってサービス提供されていないことを判定するように構成された、発明８３に記載の第１のＵＥ。
［発明９１］
前記指示は、媒体アクセス制御（ＭＡＣ）信号またはラジオ・リソース管理（ＲＲＣ）信号を備える、発明９０に記載の第１のＵＥ。
［発明９２］
無線通信のためのコンピュータ・プログラム製品であって、
リレーとして機能する第１のユーザ機器（ＵＥ）において、前記第１のＵＥによってどのＵＥもサービス提供されていないことを判定し、
前記判定に基づいて、ブロードキャスト信号間のインタバルを増加させ、
前記増加されたインタバルにしたがって前記ブロードキャスト信号を送信するためのコード、を備えるコンピュータ読取可能な媒体を備えるコンピュータ・プログラム製品。
［発明９３］
前記判定することは、前記第１のＵＥによって、特定の期間、どのＵＥもサービス提供されていないことを判定することを備える、発明９２に記載のコンピュータ・プログラム製品。
［発明９４］
前記ブロードキャスト信号は、一次同期信号（ＰＳＳ）、二次同期信号（ＳＳＳ）、または物理ブロードキャスト・チャネル（ＰＢＣＨ）のうちの少なくとも１つを備える、発明９２に記載のコンピュータ・プログラム製品。
［発明９５］
前記ブロードキャスト信号は、チャネル状態情報（ＣＳＩ）測定値またはラジオ・リソース管理（ＲＲＭ）測定値のうちの少なくとも１つの信号を備える、発明９２に記載のコンピュータ・プログラム製品。
［発明９６］
前記ブロードキャスト信号は、共通基準信号（ＣＲＳ）を備える、発明９５に記載のコンピュータ・プログラム製品。
［発明９７］
少なくとも１つのＵＥが、前記第１のＵＥによってサービス提供されていることを判定し、
前記ブロードキャスト信号間のインタバルを減少させ、
前記減少されたインタバルにしたがって、前記ブロードキャスト信号を送信するためのコード、をさらに備える発明９２に記載のコンピュータ・プログラム製品。
［発明９８］
前記減少されたインタバルは、デフォルト・インタバルを備える、発明９７に記載のコンピュータ・プログラム製品。
［発明９９］
前記判定することは、イボルブド・ノードＢ（ｅＮＢ）から指示を受信することを備える、発明９２に記載のコンピュータ・プログラム製品。
［発明１００］
前記指示は、媒体アクセス制御（ＭＡＣ）信号またはラジオ・リソース管理（ＲＲＣ）信号を備える、発明９９に記載のコンピュータ・プログラム製品。
【図１】
0005869123.tif 000002
【図２】
0005869123.tif 000003
【図３】
0005869123.tif 000004
【図４】
0005869123.tif 000005
【図４Ａ】
0005869123.tif 000006
【図５】
0005869123.tif 000007
【図５Ａ】
0005869123.tif 000008
【図６】
0005869123.tif 000009
【図６Ａ】
0005869123.tif 000010